(57)【要約】【課題】  使用権限のない第三者が、プリンタを用いて印字文書やチケット等の不正作成行為を行うことを防止できるようにしたプリンタ装置を提供する。【解決手段】  予め定められた条件を有する用紙以外の用紙に対しては、印字を行えないようにしたプリンタ装置であって、用紙を搬送する搬送手段と、前記搬送手段で搬送されてきた用紙が、予め定められた条件を満たしているか否かを判定する判定手段と、制御手段に制御され、搬送されてきた用紙上に情報をプリント出力する印字手段と、前記判定手段による判定結果が前記条件を満たしていると判定された場合に、前記印字手段に対して印字を許可する信号を送信する制御手段と、を備えていることを特徴とする。【選択図】        図１
2005081748.tif 000002
【特許請求の範囲】
【請求項１】
予め定められた条件を有する用紙以外の用紙に対しては、印字を行えないようにしたプリンタ装置であって、
用紙を搬送する搬送手段と、
前記搬送手段で搬送されてきた用紙が、予め定められた条件を満たしているか否かを判定する判定手段と、
制御手段に制御され、搬送されてきた用紙上に情報をプリント出力する印字手段と、
前記判定手段による判定結果が前記条件を満たしていると判定された場合に、前記印字手段に対して印字を許可する信号を送信する制御手段と、
を備えていることを特徴とするプリンタ装置。
【請求項２】
前記判定手段が、前記用紙に光を照射して、透過光強度を検出することで判定する機能を有していることを特徴とする請求項１記載のプリンタ装置。
【請求項３】
前記判定手段が、前記用紙に光を照射して、用紙からの反射光強度を検出することで判定する機能を有していることを特徴とする請求項１記載のプリンタ装置。
【請求項４】
前記判定手段が、前記用紙に漉き込まれた磁性体からの磁力を検出することで判定する機能を有していることを特徴とする請求項１記載のプリンタ装置。
【請求項５】
前記判定手段が、前記用紙に漉き込まれたアモルファス強磁性材料からの磁気特性を検出することで判定する機能を有していることを特徴とする請求項１記載のプリンタ装置。
【請求項６】
前記判定手段が、前記用紙に組み込まれた電磁回路を有する素子と電磁波の送受信を行うことで判定する機能を有していることを特徴とする請求項１記載のプリンタ装置。
【発明の詳細な説明】
【技術分野】
【０００１】
本発明は、印字文書やチケット等の偽造防止や不正作成行為などの防止を図るために、予め定められた条件を有する用紙以外にはプリント出力を行えないようにしたプリンタ装置に関する。
【背景技術】
【０００２】
近年、コンピュータネットワークシステムの発展により、企業や官庁等の機密情報、顧客情報、個人情報などはネットワークシステム上で管理され、これらの情報が必要な時には、ネットワークに接続されたプリンタ装置によって出力するというシステムが用いられる場合が多くなっている。
【０００３】
このようなネットワークシステムにおける機密保持対策としては、例えばプリンタ装置に暗証番号を入力する機能を設けて、プリンタ装置により情報を出力する者が暗証番号の入力を行い、照合処理で一致した場合にだけ各種の情報のプリント出力処理を開始させる機能を、プリンタ装置に装備するなどの技術が既に提示されている。（例えば、特許文献１参照）
【特許文献１】特開平６−１５６８６８号公報  しかしながら、暗証番号の照合などによる使用者の確認処理では、第三者に暗証番号を知られてしまった場合に、簡単に不正なプリント出力を行われてしまうという危険性がある。
【０００４】
通常、プリンタ装置でプリント出力する用紙は、市販されている汎用的な用紙であるために、不正なプリント出力を行われてしまった場合には、その文書が正当にプリントされたものであるのか、または不正にプリントされたものであるのかを判別することもできないという問題がある。
【発明の開示】
【発明が解決しようとする課題】
【０００５】
本発明は、使用権限のない第三者が、プリンタ装置を用いて印字文書やチケット等の不正作成行為を行うことを防止できるようにしたプリンタ装置を提供する。
【課題を解決するための手段】
【０００６】
本発明のプリンタ装置は、予め定められた条件を有する用紙以外の用紙に対しては、プリント出力を行えないようにしたプリンタ装置であって、用紙を搬送する搬送手段と、前記搬送手段で搬送されてきた用紙が、予め定められた条件を満たしているか否かを判定する判定手段と、制御手段に制御され、搬送されてきた用紙上に情報をプリント出力するプリント出力手段と、前記判定手段による判定結果が前記条件を満たしていると判定された場合に、前記プリント出力手段に対してプリント出力を許可する信号を送信する制御手段と、を備えていることを特徴とする。
【０００７】
また、本発明のプリンタ装置は、前記判定手段が、前記用紙に光を照射して、透過光強度を検出することで判定する機能を有していることを特徴とする。
【０００８】
更に、本発明のプリンタ装置は、前記判定手段が、前記用紙に光を照射して、用紙からの反射光強度を検出することで判定する機能を有していることを特徴とする。
【０００９】
また、本発明のプリンタ装置は、前記判定手段が、前記用紙に漉き込まれた磁性体からの磁力を検出することで判定する機能を有していることを特徴とする。
【００１０】
更に、本発明のプリンタ装置は、前記判定手段が、前記用紙に漉き込まれたアモルファス強磁性材料からの磁気特性を検出することで判定する機能を有していることを特徴とする。
【００１１】
また、本発明のプリンタ装置は、前記判定手段が、前記用紙に組み込まれた電磁回路を有する素子と電磁波の送受信を行うことで判定する機能を有していることを特徴とする。
【発明の効果】
【００１２】
本発明のプリンタ装置は、予め定められた条件を有する用紙以外の用紙に対しては、プリント出力を行えないようにしてあるので、使用権限のない第三者が、プリンタ装置を用いて印字文書やチケット等の不正作成行為をしようとしても、プリント出力が許可される用紙以外には使用できないようにしてあるので、使用権限のない第三者によるプリント出力の不正作成行為を防止することができるという効果がある。
【発明を実施するための最良の形態】
【００１３】
以下、本発明の実施の形態を図面に基づいて詳細に説明する。
【００１４】
図１は、本発明の実施形態に係るプリンタ装置の構成図、図２は、本発明の実施形態に係るプリンタ装置のシステムブロック図、図３は、本発明の実施形態に係るプリンタ装置の光学方式からなる判定手段を説明する図、図４は、本発明の実施形態に係るプリンタ装置の磁気方式からなる判定手段を説明する図、図５は、本発明の実施形態に係るプリンタ装置の無線方式からなる判定手段を説明する図、図６は、本発明の実施形態に係るプリンタ装置の処理手順を示すフローチャートである。
【００１５】
本発明の実施形態に係るプリンタ装置１は、図１及び図２に示すように、用紙１４をセットしておく給紙部２と、給紙部２にセットされた用紙１４を搬送する搬送ローラ３ａからなる搬送手段３と、プリント出力する種々の情報を一時的に記憶させておく記憶手段４と、用紙１４に対して、プリント出力手段６でプリント出力する前の段階で、その用紙１４が予め定められた条件を満たしているか否かを判定する判定手段５と、用紙上にプリント出力する種々の情報をプリント出力するプリント出力手段６と、制御手段７と、プリント情報受信手段８とを有し、パソコン等の外部装置から受信した情報をプリント出力する機能を有している。
【００１６】
プリント出力手段６のプリント出力方式は、特に限定されることではなく、例えば、インクジェット方式、電子写真方式、感熱転写方式、昇華転写方式など何れでもよい。
【００１７】
また、少なくとも、判定手段５が設置されている位置は、搬送手段３で用紙がプリント出力手段６が設けられている位置に搬送されて到着する前の位置に設けられている。
【００１８】
したがって、判定手段５が設置されている位置の前の位置であれば、搬送手段３で用紙が搬送される所定に位置に設けても良いし、給紙部２にセットされている用紙を判定できる位置に設けても良い。
【００１９】
また、プリント情報受信手段８は、パソコン等の外部装置から通信網を介してプリンタ装置でプリント出力するための情報を受信する手段である。
【００２０】
用紙を判定する判定手段５は、用紙の構成に応じて種々の判定方式があり、任意に選択して設けることができる。
【００２１】
これらの判定手段５の方式としては、例えば、光学判定方式、磁気判定方式、無線判定方式などがある。
【００２２】
光学判定方式は、図３に示すように、用紙１４ａに対して所定の照射光源９から光を照射し、その透過光の強度、波長、偏光状態、回折状態などを透過光検出器１０で検出したり、または用紙１４ａに対して所定の照射光源９から光を照射し、その反射光の強度、波長、偏光状態、回折状態などを反射光検出器１１で検出することで、それらの検出データが予め定めたデータの許容範囲内に入っているか否かを判定するものである。
【００２３】
これらの場合に、例えば、照射光の波長を、例えば、紫外光、青色光、緑色光、赤色光、赤外光などように替えて検出することで、精度よく用紙を特定することもできる。
【００２４】
また、検出する範囲は、用紙の全体である必要はなく、所定の部分であればよい。
【００２５】
更に、用紙に対して、一次元的、二次元的に透過率を検出し、その変化の具合から、「透かし」として漉き込まれている絵柄や模様などを検出して判定するようにしてもよい。
【００２６】
また、反射光を検出する場合も、透過光と同様に、照射光の波長を変えることで精度良く用紙を識別することができ、一次元的、二次元的に検出することで、シンボルマーク、バーコード等を検知して識別してもよい。
【００２７】
この際、マーク等は、照射する光源や検出器の検出波長により、可視インキをはじめ、蛍光インキ、赤外吸収インキ、赤外発光インキ等で形成することにより識別することができる。
【００２８】
また、液晶インキを用いた場合には、反射光の偏光状態も偏光するため、偏光状態を検出することで識別することができる。
【００２９】
更に、ホログラム等の光回折構造体を用紙に貼付しておくことで、その部分の反射光の回折状態を検出することによっても用紙を識別することができる。
【００３０】
次に、磁気判定方式について、説明する。
【００３１】
磁気判定方式は、磁性材料を内部に含ませた用紙１４ｂを用いて、図４に示すように、磁気ヘッド等の磁気センサ１２で用紙１４ｂの磁性を読み取ることで、用紙を識別して判別する方式である。
【００３２】
用紙の磁性材料を含ませる手段としては、磁性インキによる印刷、磁性薄膜の転写、磁性薄膜の漉き込み、磁性繊維の漉き込みなどがある。
【００３３】
また、判別する手段としては、磁性の有無を判別する方法でもよいし、磁性体の磁気特性を検出する方法でもよい。
【００３４】
更に、磁気特性を検出するために、用紙に直流若しくは交流の磁気バイアスを加えて、その際の磁束の変化を検出することにより磁気特性を検出することができる。
【００３５】
特に、アモルファス磁性材料を用いると、特異な磁性特性を示すために、精度良く識別することができると共に、他の磁性材料と特性が異なることから偽造防止効果を高めることができる。
【００３６】
次に、無線判定方式ついて、説明する。
【００３７】
無線判定方式は、ＩＣチップとアンテナとを備えた小型の無線ＩＤタグを内蔵させた用紙１４ｃを用いて、ＩＣチップのメモリに記憶させた情報をＲＦ−ＩＤリーダ１３からなる読取装置で読み取ることで用紙の判別を行う方式である。
【００３８】
用紙に無線ＩＤタグを付ける手段としては、用紙面に無線ＩＤタグを貼付させたり、用紙面に無線ＩＤタグを漉き込ませることで実現することができる。
【００３９】
検出器は、電磁波を送受信するための機能を備え、用紙内の無線ＩＤタグと電磁波の送受信を行うことで識別する。
【００４０】
以上のように、用紙を判定する判定手段５は、用紙に保有させた種々の特徴を検出することで、その用紙がプリント出力してもよい用紙であるか否かを判定することができればよいものである。
【００４１】
つまり、判定手段５による判定方式は上記のように種々あるものの、いずれにしても判定結果でプリント出力が認められないと判定された場合には、判定手段５から制御手段７に対してプリント出力手段６でプリント出力させる信号を送信させないため、情報を用紙にプリント出力手段６でプリント出力することができないようにしてある。
【００４２】
次に、本発明の実施形態に係るプリンタ装置の処理手順を、図６に基いて説明する。
【００４３】
プリンタ装置１のプリント情報受信手段８で、パソコン等の外部装置から送信されたプリント情報を受信した際に、記憶手段４にそのプリント情報を記憶させる。（ステップＳ１）
次に、搬送手段３により給紙部２にセットされている用紙が搬送され、判定手段５が備えられている位置を通過する際に、用紙に備えられている特性情報の読み取り処理が行なわれる。（ステップＳ２）
更に、用紙は搬送手段３により、プリント出力手段６でプリントするための位置に搬送される。
【００４４】
そして、判定手段５による判定処理の結果、その用紙がプリント処理を許可する条件に一致していると判定された場合には、その後に判定情報が制御手段７に送られ、制御手段７は、プリント出力手段６に対して記憶手段４に記憶されている情報を用紙にプリント出力させる為の信号を送信し、プリント出力手段６により情報を用紙にプリントさせる。（ステップＳ３）
その後、プリント出力手段６により用紙に情報のプリント処理が終了した場合に、用紙の搬送を行わせて排出させる。（ステップＳ４）
また、判定手段５による判定処理の結果、その用紙がプリント処理を許可する条件に一致していない判定された場合には、その判定情報が制御手段７に送られ、制御手段７は、プリント出力手段６に対して情報のプリントを行わせる為の信号を送信しないで、制御手段７から搬送手段３に対してプリントが行なわれないままの状態で用紙の搬送を行わせて排出させる。
【００４５】
以上の処理により、給紙部２から搬送されてきた用紙がプリントを許可されていない用紙である場合には、プリント出力手段でのプリント処理が行なわれないで排出されるので、用紙の管理を行うことで第三者による不正な情報のプリント処理を防止できるようにしてある。
【００４６】
また、ここで使用させる用紙は、連続用紙でもよいし、１枚毎にカットされたシート用紙のいずれでもよい。
【産業上の利用可能性】
【００４７】
本発明に係るプリンタ装置は、用紙に種々の情報やデータなどを出力するプリンタ装置に用いることができる。
【図面の簡単な説明】
【００４８】
【図１】本発明の実施形態に係るプリンタ装置の構成図である。
【図２】本発明の実施形態に係るプリンタ装置のシステムブロック図である。
【図３】本発明の実施形態に係るプリンタ装置の光学方式からなる判定手段を説明する図である。
【図４】本発明の実施形態に係るプリンタ装置の磁気方式からなる判定手段を説明する図である。
【図５】本発明の実施形態に係るプリンタ装置の無線方式からなる判定手段を説明する図である。
【図６】本発明の実施形態に係るプリンタ装置の処理手順を示すフローチャートである。
【符号の説明】
【００４９】
１  プリンタ装置
２  給紙部
３  搬送手段
３ａ  搬送ローラ
４  記憶手段
５  判定手段
６  プリント出力手段
７  制御手段
８  プリント情報受信手段
９  照射光源
１０  透過光検出器
１１  反射光検出器
１２  磁気センサ
１３  ＲＦ−ＩＤタグ
１４，１４ａ，１４ｂ  用紙
【図１】
2005081748.tif 000003
【図２】
2005081748.tif 000004
【図３】
2005081748.tif 000005
【図４】
2005081748.tif 000006
【図５】
2005081748.tif 000007
【図６】
2005081748.tif 000008